(57)【特許請求の範囲】
【請求項１】
防水パンと、この防水パン周囲に立設する壁パネルと、この壁パネルに隣接する浴室出入口枠とを備え、上記壁パネルが、防水パンに対し嵩上げ材を介して立設され、上記出入口枠が、浴室出入口壁を支える縦枠と、この縦枠間を繋ぐ上枠及び下枠とを有すると共に、上記縦枠が、浴室側側面下方に切欠を有し、該切欠が、その切欠高さを前記壁パネル設置状態での嵩上げ材の厚み相当としてなる浴室ユニット。
【請求項２】
請求項１において、切欠の奥行きが壁パネルの浴室側端部から嵩上げ材の浴室側先端までの距離と等しくされてなる浴室ユニット。
【請求項３】
請求項１または２において、切欠に対しコーキング材を充填された浴室ユニット。
【請求項４】
請求項３において壁パネルと防水パンと嵩上げ材とで囲まれた空間にコーキング材が配置された浴室ユニット。
【請求項５】
請求項４において壁パネルと防水パンと嵩上げ材とで囲まれた空間と縦枠の切欠に一度にコーキング処理が施されてなる浴室ユニット。
【発明の詳細な説明】
【技術分野】
【０００１】
本発明は、浴室の出入口に使用される出入口枠を備えた浴室ユニットに関する。
【背景技術】
【０００２】
浴室の出入口枠は、框戸、折戸、１枚引戸、３枚引戸等の扉を支え、その周囲を取り囲むものであり、基本的に、２本の縦枠と、この縦枠の間を繋ぐ上枠及び下枠とを備えている。
【０００３】
また、近年の浴室、特に浴室ユニットに用いられる出入口枠は、バリアフリーの考えが強く、出入口段差をできるかぎりなくすように様々な構造が考えられている。
【０００４】
図１は、従来の浴室出入口枠を示す斜視図であり、防水パン１の周囲に壁パネル２を立設させ、更に、壁パネル２に隣接するように出入口枠３を設けてある。この図面では、出入口枠３に対し、框戸４を固定してあり、框戸４が浴室内に向かって開閉する。
【０００５】
図２は、図１に示す断面図であり、（ａ）は縦枠部分であるＡ−Ａ断面図、（ｂ）は壁パネル部分のＢ−Ｂ断面図である。
図２（ａ）に示すように、出入口枠の縦枠５は、防水パン１の周囲に設けた水平面に対し立設され、浴室側の境界部分にコーキング材６を配置してある。
また、図２（ｂ）に示すように、壁パネル２は、縦枠５と同様に防水パン１の周囲に設けた水平面に対し立設されるが、防水パン１と壁パネル２の間に嵩上げ材７を介してあり、壁パネル２と、防水パン１と嵩上げ材７とで囲まれた空間に、コーキング材６を配置して、防水性能を向上させるようにしている。
【特許文献１】特開２０００−２９１２７４号公報
【発明の開示】
【発明が解決しようとする課題】
【０００６】
しかしながら、図１及び図２に示す出入口枠は、壁パネル部分に比べコーキング材の厚みが薄く、止水性能の点で、壁パネル部分よりも劣る欠点がある。
また、コーキング材は、施工時に、コーキング材を配置する部分の上下をマスキングテープにて覆い、そこにコーキング材を注入するので、コーキング材の配置高さが異なる壁パネル部分と、出入口枠部分とは、一度にコーキング処理を施すことができず、煩雑な作業となっていた。
【０００７】
本発明は、上記課題を鑑みてなされたものであり、止水性能を向上させた浴室出入口枠及び浴室ユニットを提供することを目的とする。
また、上記止水性能を向上させ、且つ、より短時間にて施工作業を行える出入口枠及び浴室ユニットを提供することを目的とする。
【課題を解決するための手段】
【０００８】
（１）本発明は、防水パンと、この防水パン周囲に立設する壁パネルと、この壁パネルに隣接する浴室出入口枠とを備え、上記壁パネルが、防水パンに対し嵩上げ材を介して立設され、上記出入口枠が、浴室出入口壁を支える縦枠と、この縦枠間を繋ぐ上枠及び下枠とを有すると共に、上記縦枠が、浴室側側面下方に切欠を有し、該切欠が、その切欠高さを前記壁パネル設置状態での嵩上げ材の厚み相当としてなる浴室ユニット。
（２）項（１）において、切欠の奥行きが壁パネルの浴室側端部から嵩上げ材の浴室側先端までの距離と等しくされてなる浴室ユニット。
（３）項（１）または（２）において、切欠に対しコーキング材を充填された浴室ユニット。
（４）項（３）において、壁パネルと防水パンと嵩上げ材とで囲まれた空間にコーキング材が配置された浴室ユニット。
（５）項（４）において、壁パネルと防水パンと嵩上げ材とで囲まれた空間と縦枠の切欠に一度にコーキング処理が施されてなる浴室ユニット。
【発明の効果】
【０００９】
本発明によれば、浴室出入口壁を支える縦枠の浴室側側面下方に切欠を設けたことにより、美観を損ねることなくコーキング材の厚みを増すことができ、浴室において最も重要な止水性能を大幅に向上させることができる。
また、切欠高さが、壁パネルの設置状態での嵩上げ材厚み相当であれば、コーキング材を充填する高さが壁パネル部分と、出入口枠部分とで同じとなり、一度にコーキング処理を施すことができる。例えば、壁パネル部分から縦枠部分まで連続してマスキングテープを施し、壁パネルから縦枠まで一度にコーキング処理をできるようになる。
更に、切欠の奥行きが壁パネルの浴室側端部から嵩上げ材の浴室側先端までの距離と等しくされているならば、充填するコーキング材の量を、壁パネル部分と縦枠部分とで等しくできるようになり、作業者のコーキング材充填作業時の絞り度合いが一様となり、作業性を向上できる。
【発明を実施するための最良の形態】
【００１０】
本発明にて述べる浴室出入口壁は、框戸、折戸、１枚引戸、３枚引戸等のドアを示すものであり、浴室と脱衣室とを隔て、使用者の出入りに伴い開閉可能なものであれば特に制限されるものではない。
【００１１】
本発明にて述べる縦枠は、出入口壁の両側に配置され、出入口壁を直接又は間接的に支えることができるものであればと特に制限されるものではない。材質は、耐久性の観点から、金属製のものが好ましく、アルミニウム、真鍮、鉄等が使用することができるが、水場であることから、防錆処理を施したものが特に好ましい。
【００１２】
本発明にて述べる上枠及び下枠は、縦枠間を繋ぐものであり、材質としても、縦枠同様特に制限されるものではないが、美観を考え、縦枠と同じ材質のものを使用することが好ましい。
【００１３】
本発明にて述べる切欠は、縦枠の浴室側側面下方に設けられるものであり、その高さは制限されるものではないが、壁パネル設置状態での嵩上げ材厚み相当であることが好ましい。これは、嵩上げ材厚みに揃えることにより、壁パネル部分から縦枠部分にまで連続してマスキングテープを施し、壁パネルから縦枠まで一度にコーキング処理を施すことができるようにするためである。
【００１４】
切欠の奥行きは、特に制限されるものではないが、縦枠の強度保持を考え、縦枠厚みの１／２以内であることが好ましく、１／３以内であることがより好ましい。
また、この奥行きは、壁パネルの浴室側端部から嵩上げ材の浴室側先端までの距離と合わせることにより、充填するコーキング材の量が、壁パネル部分と縦枠部分とで等しくなり、作業者のコーキング材充填作業時の絞り度合いが一様となり、作業性を向上させることができる。
【００１５】
本発明に述べる防水パンは、床を形成し、床下に漏水することを阻止できるものであれば良く、１枚ものでも、複数の防水パン（例えば、浴槽載置防水パンと、洗い場防水パン）を組み合わせたものであっても良い。
防水パンの材質は特に限定されるものではなく、ＳＭＣ、ＢＭＣ等を用いた繊維強化プラスチック、鉄、アルミ、ステンレス等の金属、又は、これらの複合成形品を用いることができる。
防水パンの周囲には、壁パネル及び出入口枠を載置する水平フランジを設けることが好ましく、これを周囲全周、又は一部に設ける。
【００１６】
本発明に述べる壁パネルは、浴室ユニット内と、その他の部屋とを隔て、止水を行えるものであれば良く、特に制限されるものではない。壁パネルの材質は、鋼板パネル、樹脂パネル、鋼板と樹脂との複合材パネル等を用いることができ、その浴室側表面に装飾を施すことができる。
また、壁パネルの裏面は、断熱材を配置することが好ましく、石膏ボード、発泡樹脂成形品等を配置する。
【００１７】
本発明に述べる嵩上げ材は、床パネルと壁パネルとの間に配置されるものであり、壁パネルと、防水パンと、嵩上げ材とで囲まれた空間に、コーキングを充填できるようにしている。嵩上げ材の材質は、特に制限されるものではないが、具体的には、ＥＰＤＭ、発泡ウレタン、発泡ＰＥ等を用いることができる。
【００１８】
本発明に述べるコーキング材は、止水できるものであれば特に制限されるものではなく、具体的には、オキシム系シリコンコーキング、アルコール系シリコンコーキング等を用いることができる。
【実施例】
【００１９】
以下、本発明の実施例を図面により説明する。
図３は本発明の１実施例である浴室ユニット斜視図である。浴室ユニットは、防水パン１、壁パネル２、図示を省略する天井パネルを備えており、防水パン１が、浴槽側と洗い場側とに分かれている。出入口枠３は、防水パン１の洗い場側に設置され、本実施例では、浴槽１０と対向する壁に設けている。
【００２０】
図４は出入口枠３の下部正面図である。出入口枠３の両側を構成する縦枠５は、その下端部に切欠部８を設けており、切欠が、縦枠５の幅方向において端から端まで全長にわたるようにしてある。また、切欠部８は、２本の縦枠５の両方に設けている。
【００２１】
図５は図４の矢視図である。縦枠５の下端部は、防水パン１上に設置されており、浴室内側に切欠部８を設けている。切欠部８の切欠形状は、縦枠５の防水パン１設置面より垂直に、縦枠５の浴室内側の面より水平に切欠いた形状となっている。また切欠部８の奥行き寸法は、縦枠５の奥行き寸法の１／３以内とすることが望ましく、本実施例では１／４としている。更に、切欠部８に垂直面を設けることで、できるだけ余分なコーキングが侵入しないような形状となっている。
【００２２】
図６はコーキング塗布前に行う養生マスキングテープを貼付けた状態を示す概略斜視図である。コーキング作業について説明すると、先ず、浴室ユニットの組み上げ作業終了後に、コーキングを施す部分の上下をマスキングテープ９にて覆う。この際、本実施例では、切欠部８の高さが、壁パネル２の下端に設けた嵩上げ枠と同等にしてあるので、コーキング材を充填する空間高さが、縦枠５と壁パネル２との部分で同じ高さとなり、マスキングテープ９を縦枠５から壁パネル２迄連続で貼り付けることができる。
マスキングテープ９の貼付後は、コーキング材を注入し、最後にマスキングテープ９を剥がすことで作業が完了する。
【図面の簡単な説明】
【００２３】
【図１】従来例を示す浴室出入口枠の斜視図である。
【図２】図２に示す断面図であり、（ａ）はＡ−Ａ断面図、（ｂ）はＢ−Ｂ断面図である。
【図３】本発明の１実施例である浴室ユニットの斜視図である。
【図４】本発明の１実施例である出入口枠の下部概略拡大図である。
【図５】図４に示す出入口枠の矢視図である。
【図６】本発明の出入口枠にコーキングする際の作業説明図である。
【符号の説明】
【００２４】
１…防水パン、２…壁パネル、３…出入口枠、４…框戸、５…縦枠、６…コーキング材、７…嵩上げ材、８…切欠部、９…マスキングテープ、１０…浴槽。
【図１】
0004668031.tif 000002
【図２】
0004668031.tif 000003
【図３】
0004668031.tif 000004
【図４】
0004668031.tif 000005
【図５】
0004668031.tif 000006
【図６】
0004668031.tif 000007